(57)【要約】【課題】イジェクト阻止機構を有するディスク記録再生装置の部材配置の自由度を高め、一層の小型化を図る。【解決手段】ディスク記録再生装置のイジェクト阻止機構において、ディスク記録可能状態である場合に、イジェクト阻止レバー２がディスクを載置するシャーシ１のディスク搭載面上を面内方向に移動して、開閉蓋を閉状態にロックするロック部材をロック保持位置に固定する。このイジェクト阻止レバー２と係合して、イジェクト阻止レバー２のディスク搭載面から離れる方向への移動を阻止する切り起こし１ａ、１ｂが、シャーシ１のカートリッジ載置面から突出して設けられており、切り起こし１ａ、１ｂは、ディスクカートリッジの一部を支持する機能も有する。【選択図】  図２
2004310806.tif 000002
【特許請求の範囲】
【請求項１】
開閉蓋の開成動作を阻止することにより、ディスクカートリッジのイジェクトを阻止するディスク記録再生装置のイジェクト阻止機構において、
開閉蓋を閉状態にロックするための、ロック保持位置とロック解除位置との間を移動可能に設けられたロック部材と、
ディスク記録可能状態である場合に上記ロック部材をロック保持位置に固定する、ディスクカートリッジを載置する基台のディスク搭載面に設けられたイジェクト阻止手段と、
上記イジェクト阻止手段と係合して、ディスク搭載面から離れる方向へイジェクト阻止手段が移動することを阻止する係止手段と、を有し、
上記係止手段が、ディスクカートリッジの一部を支持するようにディスク搭載面側に突出していることを特徴とするイジェクト阻止機構。
【請求項２】
上記イジェクト阻止手段の基台側の面に凸部が設けられ、
上記凸部が嵌合されることで、上記イジェクト阻止手段をガイドするガイド穴を基台に設けることを特徴とする請求項１に記載のイジェクト阻止機構。
【請求項３】
上記イジェクト阻止手段が、基台に設けられた凹部にはめ込まれていることを特徴とする請求項１または２に記載のイジェクト阻止機構。
【請求項４】
上記係止手段が略Ｌ字型であることを特徴とする請求項１から３の何れか１項に記載のイジェクト阻止機構。
【請求項５】
請求項１から４の何れか１項に記載のイジェクト阻止機構を有するディスク再生記録装置。
【発明の詳細な説明】
【０００１】
【発明の属する技術分野】
本発明は、機械的に媒体の取り出しを行うディスク記録再生装置のイジェクト阻止機構に関するものである。
【０００２】
【従来の技術】
一般に、ミニディスク（Ｍｉｎｉ  Ｄｉｓｋ：以下ＭＤと称す）等のように、記録再生面のディスクを保護するためのカートリッジ（一般にはシェルと呼ばれる）を有する記録媒体に記録再生する記録再生装置においては、強度の面から、安定にカートリッジを載置するために、カートリッジの外周角部付近にて支持するのが良いとされている。そのため、カートリッジを支持するための突起がカートリッジ外周角付近に一致するように、シャーシに設けられていた。この突起はカートリッジを載置し、さらに載置位置の前後左右方向へのずれの規制を行うものであった。
【０００３】
一方、ＭＤ等のように、デジタル記録及び再生の両方が可能な記録媒体においては、通常、情報の記録終了後に記録の開始アドレス及び終了アドレスを記録する領域が設けられている。このアドレス情報は、ランダムアクセスが可能なディスク記録媒体に設けられるものであり、記録された情報内容の迅速な検索や頭出し、もしくは呼び出し等を行っている。ＭＤの場合この領域はＴＯＣ（Ｔａｂｌｅ  ｏｆ  Ｃｏｎｔｅｎｔｓ）と呼ばれている。
【０００４】
このようなディスク記録媒体においては、媒体上に記録された情報の消去は、アドレス情報を消去することにより行っている。逆に、記録媒体内に記録された情報であっても、アドレス情報が記録されていない情報は、呼び出すことが不可能となるため、情報を再生することができなくなる。アドレス情報の記録は、情報の記録後に記録するものであるので、何らかの理由で書き込み動作中に媒体を記録再生装置より取り出してしまった場合、記録媒体の取り出し直前に書き込まれた情報は再生することができなくなってしまう。
【０００５】
このようなアドレス情報の記録ミスを防止するため、ディスク記録再生装置には、情報の書き込みが完全に終了するまで、記録媒体の排出を不可能とするための構成が設けられている。
【０００６】
特許文献１には、このような構成の１つとして、記録媒体の排出を不可能とするために、開閉蓋の開成動作を阻止することにより、開閉蓋の開成動作に連動するディスクのイジェクトを阻止する構成が開示されている。この場合の開成動作の阻止は、ロック部材をロック解除位置に移動させるロック解除手段に部材を当接させることによりロック解除手段の作動を阻止するものである。
【０００７】
しかし、このような構成は複雑となるので、従来のＭＤ記録再生装置では、以下のような機構によるイジェクト阻止手段が用いられている。
【０００８】
図１１に示すようにシャーシ２０に、カートリッジが有する穴に挿入され、前後左右の移動規制をする突起２０ａ、２０ｂを設け、且つカートリッジを載置する突起２０ｃ、２０ｄが、カートリッジを載置したときに、カートリッジの外周角付近にくるように設定されている。なお、カートリッジの穴に突起２０ａ、２０ｂを挿入した場合に、突起２０ｃ、２０ｄに載置されたカートリッジが水平になるように、突起２０ａ、２０ｂの下部に、突起２０ｃ、２０ｄと同じ高さの載置面２０ａａ、２０ｂｂが設けられている。つまり、カートリッジは、上記の突起２０ａａ、２０ｂｂ、２０ｃ、２０ｄにて支持される。
【０００９】
更にシャーシ２０の裏面には、図１２、図１３に示すように、イジェクト阻止レバー２１を装着するための略Ｔ字型の曲げ２０ｅ、２０ｆが形成される。この曲げ２０ｅ、２０ｆに図１４に示すイジェクト阻止レバー２１の孔２１ａを挿入することで、イジェクト阻止レバー２１をＺ１、Ｚ２、Ｙ１、Ｙ２方向への移動を規制するとともに、Ｘ方向への移動をガイドする。
【００１０】
又、イジェクト阻止レバー２１には、図１４に示すように、前記略Ｔ字型の曲げ２０ａ、２０ｂが挿入される孔２１ａと、リフトリンクレバー２２と嵌合するための曲げ２１ｂが設けられている。
【００１１】
リフトリンクレバー２２は、図１２に示す、シャーシ２０に設けられたリフトリンクレバー２２を挿入するボス２０ｇに挿入されるものである。リフトリンクレバー２２は図１５に示すようにボス２０ｇを嵌めるための穴２２ａと、イジェクト阻止レバー２１に嵌合する曲げ２２ｂとリフトモータ２３のギヤ２３ｂとかみ合うためのラック部２２ｃと、リフトレバー２８に嵌合する曲げ２２ｄが設けられている。
【００１２】
リフトモータ２３は、シャーシ２０に形成された図示していないタップ穴にビス２５で留められている。リフトモータ２３は、図１２に示すように、フレキ２４とモータ端子２３ａで半田付けされ、フレキ２４は、フィードモータ２６の下を通り、シャーシ２０の側面を抜けて図示されていない基板回路のコネクタに接続される。図示されていない基板回路は、フレキ２４を介してリフトモータ２３に電気信号を送り、リフトモータ２３を回転させる。
【００１３】
リフトモータ２３の回転は、図示しない複数の連結するギヤにより、最終ギヤ２３ｂに伝達される。そして、最終ギヤ２３ｂはリフトリンクレバー２２のラック部２２ｃにかみ合うように配置されているので、リフトモータ２３の最終ギヤ２３ｂが時計方向Ｔ２に回転した場合、リフトリンクレバー２２は２２ａを支点として反時計方向Ｔ１に回転する。これにより、リフトリンクレバー２２の曲げ２２ｂはＸ１方向に移動し、イジェクト阻止レバー２１の曲げ２１ｂと嵌合しているイジェクト阻止レバー２１もＸ１方向に移動する。
【００１４】
一方、リフトモータ２３の最終ギヤ２３ｂが、反時計方向Ｔ１に回転した場合、リフトリンクレバー２２は、２２ａを支点として、時計方向Ｔ２に回転し、上記とは反対にイジェクト阻止レバー２１は、Ｘ２方向に移動する。
【００１５】
イジェクト阻止レバー２１の移動は、規定の位置に達したとき、リフトモータ２３が受ける図示していない基板回路からの電気信号を停止することにより、移動の停止が行われる。あるいは、リフトリンクレバー２２、イジェクト阻止レバー２１が、それ以上回転もしくは、移動できないように図示していないあたりに接触することにより、回転・移動の停止が行われる。
【００１６】
ところで、リフトモータ２３の最終ギヤ２３ｂが、反時計方向Ｔ１に回転した場合、リフトリンクレバー２２の曲げ２２ｄは、ボス２０ｇを中心に時計方向Ｔ２に回転しリフトリンクレバー２２の曲げ２２ｄはＸ１方向に移動する。図１６に示すように、曲げ２２ｄはボス２２ｅを有しており、ボス２２ｅがリフト動作レバー２８に設けられた穴２８ａに挿入されて連結されているため、リフト動作レバー２８もＸ１方向へ移動する。
【００１７】
リフト動作レバー２８は、図１７に示すようにカートリッジホルダ２９の軸２９ａに図示していないカットワッシャで取り付けられている。リフト動作レバー２８は、ガイド２８ｂを設けることによりリフトリンクレバー２２の曲げ２２ｄのＸ１、Ｘ２方向への移動に伴って、Ｘ１、Ｘ２方向への移動をガイドされる。更に、リフト動作レバー２８は、斜面２８ｃにてリフトレバー３１の曲げ３１ｃを支持しており、リフト動作レバー２８のＸ１、Ｘ２方向への移動により、リフト動作レバー２８の斜面２８ｃにガイドされるリフトレバー３１がＺ１、Ｚ２方向に移動する。
【００１８】
リフトレバー３１は、常にＺ２方向に規制がかかるように、カートリッジホルダ２９からの板バネ２９ｂの荷重を受けている。更にリフトレバー３１に設けられた孔３１ａ、３１ｂが、カートリッジホルダ２９の曲げ２９ｃ、２９ｄに挿入され、曲げ２９ｃ、２９ｄを支点として、上下方向の揺動が可能である。
【００１９】
したがって、リフト動作レバー２８のＸ１、Ｘ２方向への移動により、リフトレバー３１の曲げ３１ｃがＺ１、Ｚ２方向に移動すると、リフトレバー３１がＺ１、Ｚ２方向に回転する。
【００２０】
ここで、図１９に示すように、上記リフトモータ２３に電気信号が送られ、上記のようにそれらに連結する部品が移動、回転等の動作を行うことによりリフト動作レバー２８がＸ１方向へ移動した場合、斜面２８ｃは、リフトレバーの曲げ３１ｃからはずれる。すなわち曲げ３１ｃが斜面上をスライドしてＺ２方向に移動する。よって、ヘッド３０を支えているリフトレバー３１は、板バネ２９ｃの荷重を受けて、２９ｃ・２９ｄを支点として回転する。そのため、支えの無くなったヘッド３０も同時にＺ２方向へ移動し、ヘッドは図示していないディスク面に接触し記録可能状態となる。
【００２１】
一方、図１７・図１８に示すように、裏キャビ３４に軸３４ａによって取り付けられているイジェクトレバー３２は、フロントキャビ３３に、設けられたロック部３３ａに掛る、略Ｌ字形状をした３２ｂを備え、図示していないスプリング等によって、矢印Ｙ１方向に付勢されている。
【００２２】
したがって、フロントキャビ３３が開いた状態から、再生・録音等のため、フロントキャビが閉められたとき、ロック部３３ａがＺ２方向に下降して、イジェクトレバー３２に設けらた斜面３２ｃをＺ２方向に押すことにより、イジェクトレバー３２はＹ２方向に移動し、ロック部３３ａがイジェクトレバー３２の斜面３２ｃから外れ略Ｌ字型の溝部に来る。このとき、イジェクトレバー３２に設けられたガイド孔３２ｄに挿入された裏キャビ３４の軸３４ａが、ガイド孔３２ｄのＹ２方向の端にくる。イジェクトレバー３２は、図示していないスプリング等によって、矢印Ｙ１方向に移動する。
【００２３】
そして略Ｌ字形状をしたフック３２ｂが、ロック部３３ａに掛かりフロントキャビ３３は開かないようにロックされる。ロックされて、図１７に示すような記録可能状態となったとき、上記のようにＸ２方向に移動されたイジェクト阻止レバー２１は、シャーシ２０の側面より突出し、イジェクトレバー３２に、設けられた孔３２ａに挿入される。
【００２４】
この状態になると、ディスクを取り出そうとしてフロントキャビを開けようとしても、イジェクトレバー３２は、挿入されたイジェクト阻止レバー２１によって、矢印Ｙ２方向に移動せず、略Ｌ字形状をした３２ｂがロック部３３ａからはずれる事が無いため、フロントキャビ３３は開かない。従ってディスクカートリッジは取り出せず録音が終了するまでその位置を保持し続け、書き込み中のデータを消失させてしまうことがない。
【００２５】
一方録音が終了した場合、図示していない基板回路よりフレキ２４を介してリフトモータ２３にプラス・マイナスの信号が録音時とは逆に流れる。そのため最終ギヤ２３ｂは、時計方向Ｔ２に回転し、上記録音時のときとは逆にイジェクト阻止レバー２１は、Ｘ１方向に移動する。
【００２６】
イジェクト阻止レバー２１の移動は、規定の位置に達したとき、リフトモータ２３が受ける図示していない回路からの電気信号を停止することにより、移動の停止が行われる。あるいは、リフトリンクレバー２２、イジェクト阻止レバー２１が、それ以上回転もしくは、移動できないように図示していないあたりに接触することにより、回転・移動の停止が行われる。
【００２７】
また、ギヤ２３ｂが、時計方向Ｔ２に回転した場合、リフトリンクレバー２２の曲げ部２２ｄは２０ｇを支点として反時計方向Ｔ１に回転する。そして、上記曲げ部２２ｄが反時計方向Ｔ１に回転した場合、図２０に示すように連結されているリフト動作レバー２８は、矢印Ｘ２方向に移動し、斜面２８ｃがリフトレバー３１の曲げ３１ｃを持ち上げて、カートリッジホルダ２９ｃ、２９ｄを中心としてＺ１方向に回転させる。リフトレバー３１で支えられているヘッド３０も同様にＺ１方向に持ち上げられ、図示していないディスクよりヘッドが離れ、録音終了、あるいは再生状態となる。
【００２８】
このとき、イジェクト阻止レバー２１は、リフトリンクレバー２２によりＸ１方向に移動したイジェクトレバー３２の孔３２ａよりはずれるため、イジェクトレバー３２はＹ２方向への移動が可能となる。その場合、略Ｌ字型状の３２ｂはロック部３３ａよりはずれることができるので、フロントキャビ３３を開くことが可能となり、ディスクカートリッジの取り出しが可能となる。
【００２９】
記録媒体がカートリッジに挿入されていない状態も同様に、イジェクト阻止レバー２１は、イジェクトレバー３２の孔３２ａよりはずれた状態を保持するためフロントキャビ３３を開くことが可能となる。
【００３０】
【特許文献１】
特開平９−０３５３８９（公開日：１９９７年２月７日）
【００３１】
【発明が解決しようとする課題】
しかしながら、上記従来の構成は、録音時のディスクカートリッジの取り出しを阻止するイジェクト阻止レバー２１をガイド及び挿入されるための略Ｔ字型の曲げ２０ｅ、２０ｆをシャーシ２０の裏面に設ける構成であり、充電池２７や回路基板を構成する部品等は、図１９、図２０のように、その略Ｔ字型の曲げ２０ｅ、２０ｆに、接触しないようにさらにその下側等にレイアウトする必要があった。上記従来の構成では、充電池２７は、シャーシ２０の裏面の、イジェクト阻止レバー２１が挿入される略Ｔ字型の曲げ２０ｅ、２０ｆを避けて、裏キャビ３４との間に配置されている。
【００３２】
また、略Ｔ字型の曲げ２０ｅ、２０ｆをシャーシ２０の表面に設けた場合、ディスクカートリッジを載置する突起を、略Ｔ字型の曲げ２０ｅ、２０ｆを避けて設けなければならなかった。
【００３３】
以上のように、記録媒体の排出を防ぐ機構を、シャーシに挿入・組み込みをする場合、ディスク記録再生装置に専用の位置決めやガイド等を設けなければならず、装置の大型化が避けられなかった。また、電池やその他の部品等をレイアウトする場合、設置された位置決めやガイド等を避けて配置しなければならず、レイアウトの自由度が奪われるという問題も有している。
【００３４】
本発明は、上記従来の問題に鑑みなされたものであり、その目的は、設計上の自由度があり、装置の小型化を可能とする開閉蓋の開成動作を阻止するイジェクト阻止機構を提供することによりことにある。
【００３５】
【課題を解決するための手段】
本発明のイジェクト阻止機構は、上記の課題を解決するために、開閉蓋の開成動作を阻止することにより、ディスクカートリッジのイジェクトを阻止するディスク記録再生装置のイジェクト阻止機構において、開閉蓋を閉状態にロックするための、ロック保持位置とロック解除位置との間を移動可能に設けられたロック部材と、ディスク記録可能状態である場合に上記ロック部材をロック保持位置に固定する、ディスクカートリッジを載置する基台のディスク搭載面に設けられたイジェクト阻止手段と、上記イジェクト阻止手段と係合して、ディスク搭載面から離れる方向へイジェクト阻止手段が移動することを阻止する係止手段と、を有し、上記係止手段が、ディスクカートリッジの一部を支持するようにディスク搭載面側に突出していることを特徴としている。
【００３６】
上記開閉蓋の開成動作とは、開閉蓋を開くための機構を作動させることであり、例えば使用者が開閉蓋を閉状態にロックするロック部材を移動させてロック解除位置に移動させることなどを言う。記録可能状態となると、この開成動作を防ぐために、上記イジェクト阻止手段がロック部材を動かないようにする。
【００３７】
このイジェクト阻止手段のディスク搭載面から離れる方向への移動を規制するものとして、基台からカートリッジ載置側に突出した係止手段をイジェクト阻止手段と係合させて使用する。さらに、この係止手段がディスクカートリッジの一部を支持するように、係止手段をディスク搭載面側に突出させる。また、ディスクカートリッジは、この係止手段を含めた基台に形成された、いくつかの突起により支えられる構成であることが望ましい。
【００３８】
なお、上記係合手段は、ディスクカートリッジを支持するに際し、ディスクカートリッジの外周付近で、ディスクカートリッジのデザインによる凹凸部が設けられる部分を避けた場所にて支持するように設けることが好ましい。さらに上記係止手段は、ディスクカートリッジ支持のための他の部材と高さを一致させ、ディスクカートリッジを水平に載置できるようにすることが望ましい。
【００３９】
これにより、基台のカートリッジ載置側の面に設置する係止手段がカートリッジを載置する上で邪魔になることがなく、さらに部材点数が減らせる。また、基台のディスク搭載面とは反対の面では、係止手段が面から突出しないので、充電池・回路基板構成部品等の部材を自由に設置でき、装置の小型化を図ることができる。
【００４０】
このように、本発明のイジェクト阻止手段とその設置部が、ディスク記録再生装置の基台の厚み方向に関して薄く設置できるため、その他の部材を自由に配置することができ、設計上の自由度を損なわず、また、装置の小型化を図ることも可能になる。さらに、係止手段の突出を、カートリッジを支持する部材として有効利用することで、部材点数が減って構造が簡単になる。
【００４１】
また、本発明のイジェクト阻止機構は、上記の課題を解決するために、上記イジェクト阻止手段の基台側の面に凸部が設けられ、上記凸部が嵌合されることで、上記イジェクト阻止手段をガイドするガイド穴を基台に設けることを特徴としている。
【００４２】
これにより、イジェクト阻止手段のガイドが、イジェクト阻止手段に設けられた凸部を基台のガイド穴に嵌合することで行われるので、イジェクト阻止手段のガイド機構がディスク記録再生装置の基台の厚み方向に関して薄く設置できる。したがって、その他の部材を自由に配置することができ、設計上の自由度を損なわず、また、装置の小型化を図ることも可能になる。
【００４３】
本発明のイジェクト阻止機構は、上記の課題を解決するために、上記イジェクト阻止手段が、基台に設けられた凹部にはめ込まれていることを特徴としている。
【００４４】
これにより、イジェクト阻止手段が基台に埋め込まれることになり、イジェクト阻止手段が、ディスク記録再生装置の基台の厚み方向に関して薄く設置できるため、その他の部材を自由に配置することができ、設計上の自由度を損なわず、また、装置の小型化を図ることも可能になる。
【００４５】
また、本発明のイジェクト阻止機構は、上記の課題を解決するために、上記係止手段が略Ｌ字型であることを特徴としている。
【００４６】
上記略Ｌ字型の係止手段は、基台からカートリッジ載置面から突出した部分と、この突出部分の先端が直角に曲がった、基台と平行な部分とを有するように設置される。これによれば、基台と平行な部分の基台側の面でイジェクト阻止機構と係合し、カートリッジ載置側の面でディスクカートリッジを支持でき、イジェクト阻止機構の移動規制とカートリッジ載置側との両方の機能を良好に行える。
【００４７】
また、本発明のディスク再生記録装置は、上記のようなイジェクト阻止機構を有するので、イジェクト阻止機構が、ディスク記録再生装置の基台の厚み方向に関して薄く設置できるため、その他の部材を自由に配置することができ、設計上の自由度を損なわず、また、装置の小型化を図ることも可能になる。
【００４８】
【発明の実施の形態】
本発明の実施の一形態について図１ないし図１０に基づいて説明すれば、以下の通りである。
【００４９】
本発明ディスク記録再生装置は、カートリッジ載置部、イジェクト阻止機構、ヘッド（磁気ヘッド）１０、読取部からなり、カートリッジ載置部にＭＤ等のディスクカートリッジを載置し、当該ディスクカートリッジにヘッド１０を近接させて情報を記録し、読取部により情報を読み取るものである。
【００５０】
図１は、本実施の形態のディスク記録再生装置のカートリッジ載置部を示している。カートリッジ載置部は、シャーシ（基台）１、シャーシ１から僅かに突出した載置面１ｈｈ、１ｉｉ、１ｊと、１ｈｈ、および１ｉｉ上に突出した規制突起１ｈ、１ｉを有している。
【００５１】
シャーシ１はカートリッジ載置部の基台となっており、シャーシ１の上面（ディスク搭載面）において、ディスクカートリッジ（カートリッジ）が載せられる。このとき、載置面１ｈｈ、１ｉｉ、１ｊが、カートリッジを支える。載置面１ｈｈ、１ｉｉ、１ｊは、良好にカートリッジを支えるために、カートリッジを外周角付近で支えるように設けられている。また、規制突起１ｈ、１ｉはカートリッジに設けられた穴に挿入され、カートリッジの面内方向の移動を規制している。
【００５２】
また、ヘッド１０は、図７に示すように、カートリッジ載置部の上部からディスクに離接可能に設置されており、ヘッド１０がディスクに近接している場合、記録可能状態となる。
【００５３】
上記イジェクト阻止機構は、リフトモータ部、リフトリンクレバー３、イジェクト阻止レバー（イジェクト阻止手段）２、イジェクトレバー（ロック部材）１２、リフト動作レバー８、リフトレバー１１からなり、ヘッド１０によりディスクカートリッジに情報が記録されている間のディスクカートリッジのイジェクトを防止するために、記録可能状態でのイジェクトを阻止するものである。
【００５４】
リフトモータ部は、図５に示すように、フレキ６、リフトモータ４、最終ギヤ４ｂからなる。フレキ６は、フィードモータ７の下を通り、シャーシ１の側面を抜けて、一端が図示しない基板回路のコネクタに接続されており、他端はリフトモータ４とモータ端子４ａで半田付けされている。これにより、リフトモータ４へ駆動指示を伝達する。つまり、上記基板回路よりフレキ６を介してリフトモータ４に電気信号が送られ、この電気信号によりリフトモータ４に反時計方向Ｔ１あるいは時計方向Ｔ２に回転駆動を与える。なお、回転駆動の方向は、上記電気信号のプラスとマイナスの入力信号の反転により任意の方向に決定できる。リフトモータ４は、ビス５でシャーシ１の図示していないタップ穴に留められている。リフトモータ４は、記録可能状態と記録可能でない状態とを切り替える駆動源であり、ヘッド１０のディスクへの離接を制御するとともに、これと連動して開閉蓋のロック状態も制御する。最終ギヤ４ｂは、上記リフトモータ４の回転を図示しない複数のギヤにより伝達されることで回転し、リフトリンクレバー３を回転させる。
【００５５】
リフトリンクレバー３は、最終ギヤ４ｂの回転を受けて、イジェクト阻止（あるいはイジェクト阻止解除）と、ヘッド１０のディスクヘの接近（あるいは離間）との両方を連動して作動させるためのものである。
【００５６】
リフトリンクレバー３は、図４に示すとおり、細長い本体の一端に、リフトモータ４と接続するラック部３ｃを有し、ラック部３ｃ近傍に後述するイジェクト阻止レバー２に嵌合する曲げ３ｂが設けられている。また他端には後述するリフト動作レバー８に係合する曲げ３ｄが形成されている。そして、リフトリンクレバー３の中央には、シャーシ１に形成されたボス１ｍを挿入するための穴３ａを有している。
【００５７】
したがって、リフトモータ４の回転にしたがって、最終ギヤ４ｂが回転すると、かみ合ったラック部３ｃが移動し、穴３ａを軸としてリフトリンクレバー３が回転する。これに伴って、リフトリンクレバー３の曲げ３ｄおよび曲げ３ｂが連動して移動する。これにより、３ｂと係合したイジェクト阻止レバー２を移動させ、さらに、３ｄと係合したリフト動作レバー８も移動させる構成となっている。
【００５８】
リフト動作レバー８は、カートリッジ載置部の側面に沿うように設置される細長い部材であり、図６に示すとおり、曲げ３ｄに設けられたボス３ｅが挿入される穴８ａが設けられており、ボス３ｅにより連結されている。
【００５９】
リフト動作レバー８は、リフトレバー１１をＺ１、Ｚ２方向に揺動させるためのものであり、図７に示すようにカートリッジホルダ９の軸９ａに図示していないカットワッシャで取り付けられ、リフトリンクレバー３の回転に伴って、ガイド８ｂによりＸ１、Ｘ２方向への移動をガイドされる。そして、更に、リフト動作レバー８は、Ｘ１、Ｘ２方向への移動に伴ってリフトレバー１１をＺ１、Ｚ２方向に動作させるための斜面８ｃを備えている。
【００６０】
リフトレバー１１は、上述のヘッド１０を持ち上げるためのものであり、カートリッジホルダ９に設けられた曲げ９ｃ、９ｄに挿入される孔１１ａ、１１ｂが設けられて長軸方向の１辺が回転可能に支持され、また図８・９に示すように、他方の長軸方向の辺の一端が曲げ１１ｃを備えており、リフト動作レバー８の斜面８ｃにガイドされてこの他方の辺がＺ１、Ｚ２方向に移動する。すなわち、リフトレバー１１の上記他方の辺は、リフト動作レバー８の移動に伴い斜面８ｃ上をスライドし、高さが変わるので、カートリッジホルダ９の曲げ９ｃ、９ｄを支点として、上下方向に揺動する。これによりリフトレバー１１により支えられていたヘッド１０もＺ１、Ｚ２方向へ移動するので、ディスクとの離接が制御されるのである。なお、リフトレバー１１は、常にＺ２方向に規制がかかるように、カートリッジホルダ９に設置された板バネ９ｂにより荷重を受けている。
【００６１】
一方、リフトリンクレバー３により移動したイジェクト阻止レバー２は、イジェクトレバー１２をロック状態に保持して動かないようにするものである。イジェクト阻止レバー２の詳細な構成は後述する。
【００６２】
イジェクトレバー１２は、開閉蓋を閉じた時に、その閉状態をロックするものであるが、これは使用者の操作によりロックを外して開くことができるものである。イジェクトレバー１２は、図７・図８のように、裏キャビ１４の軸１４ａによって取り付けられており、フロントキャビ（開閉蓋）１３に設けられたロック部１３ａに掛る略Ｌ字型のフック１２ｂを備え、このフック１２ｂにロック部１３ａが掛ることでフロントキャビ１３が開かないようにしている。また、イジェクトレバー１２は図示していないスプリング等によって、図７における矢印Ｙ１方向に付勢されている。また、イジェクトレバー１２は、裏キャビ１４に取り付けられた軸１４ａが挿入される、ガイド孔１２ｄを有している。
【００６３】
イジェクトレバー１２は、開閉蓋を開いた状態から閉じる場合に、図７に示すフロントキャビ１３のロック部１３ａがイジェクトレバー上方からＺ２方向に下降し、フック１２ｂの上の斜面１２ｃをＺ２方向に押すことで、ガイド孔１２ｄによってガイドされて、Ｙ２方向にスライドする。そして、ロック部１３ａがさらに下降してフック１２ｂの横にくると、イジェクトレバー１２がＹ１方向に付勢されているので、ロック部１３ａがフック１２ｂに掛り、閉状態にロックされる。なお、このロックを外すには、使用者がイジェクトレバー１２をＹ２方向にスライドし、フック１２ｂからロック部１３ａを外せば良い。
【００６４】
上記のイジェクト阻止レバー２は、上記のように閉状態にロックされた状態にあるときに、その先端をイジェクトレバー１２に設けられた孔１２ａに挿入できるように設置されている。孔１２ａにイジェクト阻止レバー２が挿入されると、イジェクトレバー１２はＹ２方向にスライドすることができず、開成動作が行えない状態になる。
【００６５】
次に、図２及び図３を用いて、イジェクト阻止レバー２の構成を詳しく説明する。
【００６６】
イジェクト阻止レバー２は、図２（ｂ）に示すように、細長いレバー本体２ｈと、その一端にイジェクトレバー１２の孔１２ａに挿入される阻止部２ａが、他端にリフトリンクレバー３と接続するためのリンクレバー接続部２ｃを有している。
【００６７】
阻止部２ａおよびリンクレバー接続部２ｃは、レバー本体２ｈの面とは、面と垂直な方向にずらして平行に形成された曲げ部となっている。阻止部２ａとレバー本体２ｈとの垂直方向のずれの高さ、すなわち阻止部２ａを基準面とした場合の、レバー本体２ｈまでの高さ２ｄは、イジェクト阻止レバー２をシャーシ１に設置した場合に、２ｈの高さがシャーシ１のカートリッジ載置面１ｈｈ、１ｉｉ、１ｊの高さよりやや低くなるように設定されている。これは、レバー本体２ｈが、シャーシのカートリッジ載置面１ｈｈ、１ｉｉ、１ｊの高さより高い、あるいは一致している場合、イジェクト阻止レバー２が、Ｘ１、Ｘ２方向に移動するときに、レバー本体２ｈが載置されたカートリッジに接触してしまい、カートリッジを安定に保持できなくなる恐れがあるためである。イジェクト阻止レバー２をシャーシ１に設置した場合のレバー本体２ｈの高さが、カートリッジ載置面１ｈｈ、１ｉｉ、１ｊより、低い場合は、イジェクト阻止レバー２がディスクカートリッジと接触せずに良好に作動する。
【００６８】
また、レバー本体２ｈはこの阻止部２ａの曲げ方向と同じ方向に突出した凸部２ｂを有している。
【００６９】
このようなイジェクト阻止レバー２をシャーシ１に設置するために、図２（ａ）に示すように、シャーシ１はレバー設置部４０を有している。レバー設置部４０は、イジェクト阻止レバー２がイジェクトレバー１２と交差するように設けられ、阻止部２ａをはめ込む孔部１Ｌと、イジェクト阻止レバー２を支持して組み込む絞り（凹部）１ｃを有している。
【００７０】
孔部１Ｌは、Ｙ軸方向の両側面に設けられた、阻止部２ａのＺ１方向への移動を規制するための略Ｌ字型の切り起こし（係止手段）１ａ、１ｂを有している。Ｌ字型切り起こしは、阻止部２ａの側面と上面とに沿うようにＬ字型形状が設けられている。また、溝部１ＬのＸ２方向側の側面には、突起１ｄ、１ｅ、１ｇが設けられており、突起１ｅ、１ｄが阻止部２ａのＹ１、Ｙ２方向への移動を規制し、突起１ｇが阻止部２ａを支え、Ｚ２方向への移動を規制する。
【００７１】
また、絞り１ｃは、孔１ｋ、ガイド孔１ｆを有している。ガイド孔１ｆは、イジェクト阻止レバー２の凸部２ｂを嵌合させて、イジェクト阻止レバー２のＹ１、Ｙ２方向への移動規制を行うものであり、ガイド孔１ｆを規定の寸法とすることにより、ガイドとしての寸法精度を確保している。孔１ｋは、上記のような絞り加工を行うことによって発生する、板金の膨らみを逃がすための捨て孔である。なお、ガイド孔１ｆも同様に膨らみを逃がす効果を持つ。
【００７２】
図２（ａ）において、イジェクト阻止レバー２をレバー設置部４０にはめ込んだ場合の、Ａ方向から見た側面図を図３（ａ）に示す。このように、阻止部２ａは、突起１ｄおよび１ｅに狭まれて横移動を規制されながら、突起１ｇに載置されている。
【００７３】
又、図２におけるＢ−Ｂ面にて切断した断面図を図３（ｂ）に示す。上記略Ｌ字型の切り起こし１ａ、１ｂは、シャーシ１から孔部１Ｌに突出した部分を上面に押し出すように形成されている。このとき、切り起こし１ａ、１ｂの下面にはさらに段差を設け、段差面１ａａ、１ｂｂを形成するが、段差面１ａａ、１ｂｂの反対面（上面）にはこのパンチによる凸部（段差）が出ないように加工されている。そして、段差面１ａａ、１ｂｂにより阻止部２ａを上から移動規制している。
【００７４】
なお、切り起こし１ａ、１ｂは、カートリッジを載置するための突起としても機能するので、その高さは、カートリッジを載置する他の載置面１ｈｈ、１ｉｉ、１ｊを揃え、カートリッジを水平に同一平面上に載置できるように設定される。カートリッジは載置面１ｈｈ、１ｉｉ、１ｊ、および切り起こし１ａ、１ｂにより支持される。
【００７５】
さらに、図２におけるＣ−Ｃ面にて切断した断面図を図３（ｃ）に示す。上記絞り１ｃは、シャーシ１の絞り面の反対面（下面）に、絞りによる、凸が出ないように加工されており、シャーシ１の上面に凹部を形成した形状となっている。
【００７６】
以上のような、レバー設置部４０にはめ込まれる、イジェクト阻止レバー２は、イジェクトレバー１２の移動を制御する機能を有する。イジェクト阻止レバー２の阻止部２ａは、上記切り起こし１ａ、１ｂ、突起１ｄ、１ｅ、１ｇによって形成される、孔部１Ｌの空間よりやや小さい板厚で作成され、その空間に阻止部２ａが挿入される。このとき、イジェクト阻止レバー２はレバー本体２ｈが上記略Ｌ字形状の切り起こし１ａ、１ｂ上面よりもＺ１方向に出ない寸法に設定されている。つまり、イジェクト阻止レバー２は、シャーシ１に形成される切り起こし１ａ、１ｂ、および載置面１ｈｈ、１ｉｉ、１ｊからなるカートリッジ載置面より上にはみ出ることがないようにシャーシ１からの絞り１ｃ、突起１ｅ、１ｄ、１ｇの寸法が設定されている。更に、絞り１ｃに、レバー本体２ｈが組み込まれることにより、イジェクト阻止レバー２は、シャーシ１の板厚内でのＸ軸方向への移動が可能となる。
【００７７】
次に、イジェクト阻止レバー２のリンクレバー接続部２ｇについて説明する。リフトリンクレバー３には、イジェクト阻止レバー２に接続するための阻止レバー接続部３ｂが設けられているが、これはリンクレバー接続部２ｇの当たり２ｆと上から重なるように配され、イジェクト阻止レバー２をＺ２方向に移動規制する。そして、曲げ２ｃはリンクレバー３と嵌合する。
【００７８】
なお、阻止部２ａは、阻止部２ａの強度を増すためのハーフパンチ２ｅを備えている。
【００７９】
次に、このような構成の本実施の一形態のイジェクト阻止機構の動作を以下に説明する。
【００８０】
まず、図７に示すように、再生・録音等のため、ディスクカートリッジがディスク載置手段に載置されたあと、フロントキャビ１３が開いた状態からフロントキャビ１３が閉められる。このとき、ロック部１３ａがイジェクトレバー１２に、設けらた斜面１２ｃを押すことにより、イジェクトレバー１２は、軸１４ａが挿入されるガイド孔１２ｄによってＹ２方向に移動する。そして、ロック部１３ａがイジェクトレバー１２の斜面１２ｃから外れ略Ｌ字型の溝部に来たとき、イジェクトレバー１２は、図示していないスプリング等によって、矢印Ｙ１方向に移動する。そして略Ｌ字形状をした１２ｂが、ロック部１３ａに掛かりフロントキャビ１３はロックされる。
【００８１】
ここで、使用者が情報記録の指示を与えると、基板回路がリフトモータ４に電気信号を入力し、最終ギヤ４ｂを反時計方向Ｔ１に回転させる。図４に示すように、最終ギヤ４ｂとリフトリンクレバー３のラック部３ｃとは連結しているので、ラック部３ｃがＸ２方向へ移動する。これに伴って、リフトリンクレバーが１ｍを支点として、時計方向Ｔ２に回転する。
【００８２】
これにより、リフトリンクレバー３のラック部３ｃと反対側の曲げ３ｄは、Ｘ１方向へ移動する。この場合図６に示すように、リフトリンクレバー３の曲げ３ｄは、リフト動作レバー８の穴８ａに挿入されるボス３ｅにより連結されているため、リフト動作レバー８はＸ１方向へ移動する（図９から図８の状態になる）。
【００８３】
これにより、図９に示すように、リフト動作レバー８の斜面８ｃによって支えられているリフトレバー１１の曲げ１１ｃが斜面８ｃ上をスライドして、Ｚ２方向に下降し、リフトレバー１１が穴１１ａ、１１ｂを中心として下方向に揺動する。そして、リフトレバー１１によって支えられているヘッド１０も同様にＺ２方向に下降して図８に示す状態となり、ヘッド１０は図示していないディスク面に接触し記録可能状態となる。
【００８４】
一方、この動作と連動して、リフトリンクレバー３の回転により、ラック部近傍の曲げ３ｂもＸ２方向に移動する。曲げ３ｂはイジェクト阻止レバー２の曲げ２ｃと嵌合しているため、イジェクト阻止レバー２もＸ２方向に移動する。これによりＸ２方向に移動されたイジェクト阻止レバー２は、シャーシ１の側面より突出し、イジェクトレバー１２に、設けられた孔１２ａに挿入される。
【００８５】
これにより、使用者がイジェクトレバー１２を矢印Ｙ２方向に移動し、ロックをはずしてフロントキャビを空けてディスクを取り出そうとしても、イジェクトレバー１２は挿入されたイジェクト阻止レバー２によって、矢印Ｙ２方向に移動せず、略Ｌ字形状をした１２ｂはロック部１３ａからはずれる事が無いため、フロントキャビ１３は開かない。従って、録音が終了するまでディスクカートリッジは取り出せず、書き込み中のデータを消失させてしまうことがない。
【００８６】
また、録音が終了した場合、図示していない基板回路よりフレキ６を介してリフトモータ４にプラス・マイナスの信号が録音時とは逆に流れ、最終ギヤ４ｂは、時計方向Ｔ２に回転し、リフトリンクレバー３は３ａを支点として反時計方向Ｔ１に回転する。
【００８７】
これにより、上記録音時のときとは逆に、リフトレバー１１がＸ２方向に移動し、リフト動作レバー８の斜面８ｃによって支えられているリフトレバー１１の曲げ１１ｃがＺ１方向に持ち上げられ、リフトレバー１１が穴１１ａ、１１ｂを中心として上下方向に回転する（図８から図９の状態になる）。そして、リフトレバー１１によって支えられているヘッド１０も同様にＺ１方向に持ち上げられ、図示していないディスクよりヘッドが離れ、録音終了、あるいは再生状態となる。
【００８８】
これと連動して、リフトリンクレバー３の反時計方向Ｔ１への回転に伴い、イジェクト阻止レバー２は、Ｘ１方向に移動する。これにより、図１０のようにＸ１方向に移動したイジェクト阻止レバー２は、イジェクトレバー１２の孔１２ａよりはずれる。したがって、イジェクトレバー１２はＹ２方向への移動が可能となり、使用者の操作により略Ｌ字型状のフック１２ｂはロック部１３ａよりはずれ、フロントキャビ１３を開き、ディスクカートリッジを取り出すことが可能となる。
【００８９】
また、ディスクカートリッジを取り出したあとも同様に、イジェクト阻止レバー２は、イジェクトレバー１２の孔１２ａよりはずれた状態を保持するためフロントキャビ１３を開くことが可能となる。
【００９０】
なお、リフトモータ４の停止は、上記イジェクト阻止レバー２が規定の位置に達すると、基板回路からリフトモータ４への電気信号を停止することにより、停止させてもよい。あるいは、リフトリンクレバー３、イジェクト阻止レバー２が、それ以上回転もしくは、移動できないように当たりを接触させる構成とすることにより、回転・移動の停止を行ってもよい。
【００９１】
以上のようなイジェクト阻止レバー２を備えたディスク記録再生装置は、図８、図９に示すように、シャーシ１の裏面に近づけて充電池１７を設置することができ、従来の図１９、図２０と比べて装置の小型化が図れる。
【００９２】
なお、本発明は上述した実施形態に限定されるものではなく、請求項に示した範囲で種々の変更が可能である。
【００９３】
また、本発明は、以下の構成とすることもできる。
【００９４】
薄型鋼板によって形成される基台と、前記基台に設けられる複数の突起によって支持される記録媒体を記録再生する記録再生手段を備える記録再生装置において、前記複数の突起の１つは略Ｌ字状の切り越しであり、該切り起こしに挿入されたレバーの上方向の移動を防止すると共に前記基台の一端部に下方向規制部及び左右方向規制部を設け、前記切り起こしと前記基台の一端部との反対方向に絞り込みが設けられ、更に前記絞り込み部に、前記レバーを挿入させ前記レバーの上下方向規制を行い、更に左右方向規制を行う孔が設けられた記録再生装置。
【００９５】
【発明の効果】
本発明のイジェクト阻止機構は、以上のように、開閉蓋を閉状態にロックするための、ロック保持位置とロック解除位置との間を移動可能に設けられたロック部材と、ディスク記録可能状態である場合に上記ロック部材をロック保持位置に固定する、ディスクカートリッジを載置する基台のディスク搭載面に設けられたイジェクト阻止手段と、上記イジェクト阻止手段と係合して、ディスク搭載面から離れる方向へイジェクト阻止手段が移動することを阻止する係止手段と、を有し、上記係止手段が、ディスクカートリッジの一部を支持するようにディスク搭載面側に突出している構成である。
【００９６】
これにより、本発明のイジェクト阻止手段とその設置部が、ディスク記録再生装置の基台の厚み方向に薄く設置できるため、その他の部材を自由に配置することができ、設計上の自由度を損なわず、また、装置の小型化を図ることも可能になる。さらに、係止手段の突出を、カートリッジを支持する部材として有効利用することで、部材点数が減って構造が簡単になる。
【００９７】
また、本発明のイジェクト阻止機構は、以上のように、上記イジェクト阻止手段の基台側の面に凸部が設けられ、上記凸部が嵌合されることで、上記イジェクト阻止手段をガイドするガイド穴を基台に設ける構成である。
【００９８】
これにより、イジェクト阻止手段のガイド機構がディスク記録再生装置の基台の厚み方向に関して薄く設置できる。したがって、その他の部材を自由に配置することができ、設計上の自由度を損なわず、また、装置の小型化を図ることも可能になる。
【００９９】
本発明のイジェクト阻止機構は、以上のように、上記イジェクト阻止手段が、基台に設けられた凹部にはめ込まれている構成である。
【０１００】
これにより、さらに、イジェクト阻止手段が、ディスク記録再生装置の基台の厚み方向に関して薄く設置できるため、その他の部材を自由に配置することができ、設計上の自由度を損なわず、また、装置の小型化を図ることも可能になる。
【図面の簡単な説明】
【図１】本発明の実施の一形態に係るディスク記録再生装置のディスクを載置する基台を示す斜視図である。
【図２】本発明の実施の一形態に係るディスク記録再生装置のイジェクト阻止レバーを示す斜視図であり、（ａ）が基台におけるイジェクト阻止レバーの設置部を示し、（ｂ）がイジェクト阻止レバーを示している。
【図３】本発明の実施の一形態に係るディスク記録再生装置のイジェクト阻止部を示す図面であり、（ａ）は図２のＡ方向からの側面図であり、（ｂ）はＢ−Ｂ面で切断した場合の断面図であり、（ｃ）はＣ−Ｃ面で切断した場合の断面図である。
【図４】本発明の実施の一形態に係るディスク記録再生装置のイジェクト阻止レバーとリフトリンクレバーとの係合を示す平面図である。
【図５】本発明の実施の一形態に係るディスク記録再生装置のディスクを載置する基台の裏面を示す斜視図である。
【図６】本発明の実施の一形態に係るディスク記録再生装置のリフトリンクレバーとリフト動作レバーとの係合を示す斜視図である。
【図７】本発明の実施の一形態に係るディスク記録再生装置のディスクを載置する基台を示す斜視図であり、図１の上部を示している。
【図８】本発明の実施の一形態に係るディスク記録再生装置が記録可能状態である場合のディスクを載置する基台を示す側面図であり、図７のＢ方向からの図面である。
【図９】本発明の実施の一形態に係るディスク記録再生装置が記録可能状態でない場合のディスクを載置する基台を示す側面図であり、図７のＢ方向からの図面である。
【図１０】本発明の実施の一形態に係るディスク記録再生装置が記録再生装置の開成動作を行う場合の、イジェクトレバーを示す斜視図である。
【図１１】従来のディスク記録再生装置のディスクを載置する基台を示す斜視図である。
【図１２】従来のディスク記録再生装置のディスクを載置する基台の裏面を示す斜視図である。
【図１３】従来のディスク記録再生装置の基台におけるイジェクト阻止レバーの設置部を示している。
【図１４】従来のディスク記録再生装置に取り付けるイジェクト阻止レバーを示す斜視図である。
【図１５】従来のディスク記録再生装置のイジェクト阻止レバーとリフトリンクレバーとの係合を示す平面図である。
【図１６】従来のディスク記録再生装置のリフトリンクレバーとリフト動作レバーとの係合を示す斜視図である。
【図１７】従来のディスク記録再生装置に係るディスク記録再生装置のディスクを載置する基台を示す斜視図であり、図１の上部を示している。
【図１８】従来のディスク記録再生装置に係るディスク記録再生装置が記録再生装置の開成動作を行う場合の、イジェクトレバーを示す斜視図である。
【図１９】従来のディスク記録再生装置に係るディスク記録再生装置の記録可能状態の場合のディスクを載置する基台を示す、図７のＢ方向からの側面図である。
【図２０】従来のディスク記録再生装置に係るディスク記録再生装置の記録可能状態でない場合のディスクを載置する基台を示す、図７のＢ方向からの側面図である。
【符号の説明】
１    シャーシ（基台）
１ａ  切り起こし（係止手段）
１ｂ  切り起こし（係止手段）
１ｃ  絞り（凹部）
１ｆ  ガイド穴
２    イジェクト阻止レバー（イジェクト阻止手段）
２ｂ  凸部
３    リフトリンクレバー
４    リフトモータ
８    リフト動作レバー
９    カートリッジホルダ
１０  ヘッド（磁気ヘッド）
１１  リフトレバー
１２  イジェクトレバー（ロック部材）
１３  フロントキャビ（開閉蓋）
１４  裏キャビ
【図１】
2004310806.tif 000003
【図２】
2004310806.tif 000004
【図３】
2004310806.tif 000005
【図４】
2004310806.tif 000006
【図５】
2004310806.tif 000007
【図６】
2004310806.tif 000008
【図７】
2004310806.tif 000009
【図８】
2004310806.tif 000010
【図９】
2004310806.tif 000011
【図１０】
2004310806.tif 000012
【図１１】
2004310806.tif 000013
【図１２】
2004310806.tif 000014
【図１３】
2004310806.tif 000015
【図１４】
2004310806.tif 000016
【図１５】
2004310806.tif 000017
【図１６】
2004310806.tif 000018
【図１７】
2004310806.tif 000019
【図１８】
2004310806.tif 000020
【図１９】
2004310806.tif 000021
【図２０】
2004310806.tif 000022